【事件の表示】
　平成１１年特許願第５４３４３７号「写真画像印刷システム、写真画像印刷装置および写真画像印刷プログラムを記憶したコンピュータ読み取り可能な記憶媒体」拒絶査定不服審判事件〔平成１１年　９月２３日国際公開、ＷＯ９９／４８２８９〕について、次のとおり審決する。
【結　論】
　本件審判の請求は、成り立たない。
【理　由】
１．手続の経緯
　本願は、平成１１年３月１６日（優先権主張１９９８年３月１６日、日本国）を国際出願日とする出願であって、平成１５年１０月３１日付けで拒絶査定がなされ、これに対し、同年１２月１１日に拒絶査定に対する審判請求がなされるとともに、平成１６年１月１３日付けで手続補正がなされたものである。
　
２．平成１６年１月１３日付けの手続補正についての補正却下の決定
　
［補正却下の決定の結論］
　　平成１６年１月１３日付けの手続補正を却下する。
　
［理由］
（１）補正後の本願発明
　本件補正により、特許請求の範囲の請求項１は、
「写真画像データと前記写真画像データの縮小データとを記憶した記憶媒体から前記写真画像データおよび前記縮小データを読み込む読み込み部と、写真画像を印刷する印刷部と、処理内容を指示する入力部とを備え、
　前記入力部が、前記記憶媒体に記憶されたすべての前記写真画像データに基づく写真画像の印刷を１回の操作により指示する第１の入力手段を備え、前記指示に基づきすべての前記写真画像を指示されたサイズの用紙に各１枚ずつ印刷するとともに、
　前記入力部が、前記記憶媒体に記憶されたすべての前記縮小データに基づくインデックス画像の印刷を指示する第２の入力手段を備え、前記指示に基づき前記インデックス画像を印刷する写真画像印刷装置であって、
　前記インデックス画像を印刷する用紙のサイズを複数の用紙サイズの中から一つを選択し、前記選択した用紙サイズにかかわらず用紙１枚当たりに所定数の前記インデックス画像を印刷する写真画像印刷装置。」
と補正される。
　
　上記補正は、請求項１に記載した発明を特定するために必要な事項である「読み込み部」について「および前記縮小データを読み込む」との限定を付加し、「処理内容を指示する入力部」について、第１の入力手段からの指示に基づく印刷を「指示されたサイズの用紙に」行うとともに、「前記入力部が、前記記憶媒体に記憶されたすべての前記縮小データに基づくインデックス画像の印刷を指示する第２の入力手段を備え、前記指示に基づき前記インデックス画像を印刷する」との限定を付加し、請求項１に記載した発明の「写真画像印刷装置」について「前記インデックス画像を印刷する用紙のサイズを複数の用紙サイズの中から一つを選択し、前記選択した用紙サイズにかかわらず用紙１枚当たりに所定数の前記インデックス画像を印刷する」との限定を付加するものであって、特許法第１７条の２第４項第２号の特許請求の範囲の減縮を目的とするものに該当する。
　
　そこで、本件補正後の前記請求項１に記載される発明（以下「本願補正発明」という。）が特許出願の際独立して特許を受けることができるものであるか（平成１５年改正前特許法第１７条の２第５項において準用する同法第１２６条第４項の規定に適合するか）について以下に検討する。　
　
（２）引用例
（ア）原査定の拒絶の理由に引用された特開平６−８５３７号公報（平成６年１月１８日出願公開、以下「引用例１」という。）には、図面とともに、次のとおりの記載がある。
　
（ａ）「Ｕ／Ｉ２２は制御装置２１に対して各種の動作を指示するためのものであり、例えば図２に示すように種々の操作ボタンを備えるものである。なお、各ボタンの機能については後に詳述するが、概略次のようである。メモリボタン３２及びプリントボタン３３は従来と同様のプリント処理を行うためのボタンであり、例えば外部機器３１から入力される画像の中からプリントしたい画像をメモリボタン３２によってフレームメモリ２６に取り込み、プリントボタン３３を押すことによってその画像データをプリントさせることができる。
　カードプリントボタン３４は後述するプログラムプリントの実行を指示するためのボタンである。プログラムボタン３５はプログラムプリントの設定画面をモニタ２４に呼び出すためのボタンである。マルチボタン３６は、１枚の記録紙に複数の画像をプリントするマルチプリントの設定画面をモニタ２４に呼び出すためのボタンである。」（段落【００１９】、【００２０】）
（ｂ）「カード操作装置２５は、メモリカード２９に蓄積されているデータを読み取ったり、メモリカード２９にＵ／Ｉ２２で作成したプリントジョブを書き込んだりするものである。」（段落【００２２】）
（ｃ）「印画装置２７は、フレームメモリ２６から供給される画像データを印画するものであり、どのような形式のものでもよく、またカラープリンタでも、モノクロプリンタでもよい。」（段落【００２４】）
（ｄ）「メモリカード２９は、ＣＰＵ及び半導体メモリを搭載するいわゆるＩＣカード、あるいは半導体メモリのみを搭載するカード状メモリ、または光カード等を用いることができるが、ここでは本出願人が先に開発したデジタルスチルカメラシステム（Digital Still Camera System ）で使用する、８ＭビットのスタティックＲＡＭを搭載するものを用いるものとする。
　さて、メモリカード２９は、デジタルスチルカメラにセットされ、撮影された画像データ、またはカード操作装置２５にセットされてフレームメモリ２６に書き込まれている画像データが蓄積されてイメージメモリカードとして使用される場合と、階調制御用テーブルが書き込まれる場合とがあるが、画像データが蓄積される場合のメモリ構造は図３Ａに示すようであり、ＩＤ情報、画像情報のアドレス情報、画像情報の関連情報、プリントプログラム情報及び画像情報が書き込まれる領域が設定される。（中略）画像情報はデジタルスチルカメラで撮影された画像データが蓄積される領域であるが、図３Ｂに示すように画像データの他に画像再生情報が記憶される。（中略）画像再生情報には、図３Ｃに示すように、当該画像データが何番目の画像データであるかを示すＩＤ番号、データ圧縮された後のデータ量、及び当該画像がプリントされる際の色合い、明るさ、シャープネス、コントラスト等を定める再生情報が書き込まれる。」（段落【００２６】から【００２８】）
(ｅ)「画像情報の関連情報は、マルチプリントを行う場合のグルーピング情報、即ちマルチプリントを行う場合の画像の組み合わせ、及びその配置を示す情報が書き込まれる領域であり、（中略）プリントプログラム情報は、どの画像をどのような順序に、それぞれ何枚ずつプリントするかというプリントジョブが書き込まれる領域である。（中略）また、図５においてインデックスは、当該メモリカード２９に蓄積されている全ての画像を番号順に、例えば１枚の記録紙を１６分割あるいは２５分割してマルチプリントするジョブであり、このインデックスジョブによって当該メモリカード２９に蓄積されている全ての画像を一覧することができる。」（段落【００３０】、【００３１】）
（ｆ）「次に、図１に示す構成の各部の動作について、オペレータの行う操作と共に説明する。まず、プリントジョブを作成する場合について説明する。まずオペレータは所定のメモリカード２９をカード操作装置２５にセットし、Ｕ／Ｉ２２のプログラムボタン３５を押す。（中略）図７はその画面の例を示す図であり、モニタ２４には、第１番目の画像と共に、ジョブ１が第１番目の画像である画像１をプリントするジョブでよいか否かの設定を要求する文字情報が表示される。（中略）
　ジョブ１が画像１のプリントでよい場合には図７Ａの表示がなされている状態でオペレータは選択ボタン４３を押すことになるが、最初に第３番目の画像をプリントしたい場合には順送りボタン４１で画像をコマ送りする。（中略）このようにして画像３をモニタ２４に表示し、その状態で選択ボタン４３を押すと、制御装置２１はジョブ１として画像３のプリントを決定し、次にプリント枚数の入力を要求する画面の表示を表示コントローラ２３に指示する。これにより、モニタ２４には例えば図７Ｂに示す画面が表示される。この画面状態において選択ボタン４３が押されるとプリント枚数は１枚に設定されるが、アップボタン４６により所望の値を入力して選択ボタン４３を押すことによってプリント枚数を所望の値に設定することができる。（中略）
　以上のようにして画像及びプリント枚数の設定が終了するとジョブ１の設定は終了となるが、その際に実行ボタン４４を押すとプリントジョブの設定は終了となり、モニタ２４には所定の初期画面が表示されることになる（中略）。」（段落【００３４】から【００３６】）
（ｇ）「以上は一つの画像を１枚の記録紙にプリントするジョブを設定する場合の操作であるが、マルチプリントジョブやインデックスジョブを行う場合には、例えば図７Ａあるいは図７Ｃの状態においてダウンボタン４５またはアップボタン４６を押す。これによって例えば図８Ａに示すようにマルチプリントジョブが選択可能な画面または図８Ｂに示すようにインデックスジョブが選択可能な画面を表示させることができ、この画面によりマルチプリントジョブまたはインデックスジョブを選択することができるようになされている。」（段落【００３７】）
（ｈ）「以上の操作が繰り返し行われて所望のジョブが設定された後に実行ボタン４４が押されると、制御装置２１は設定された全てのジョブを確定し、確定したジョブの内容をメモリカード２９のプリントプログラム情報の領域に書き込んでプリントジョブ設定の処理を終了する。」（段落【００３８】）
（ｉ）「次にプログラムプリントを行う場合について説明する。メモリカード２９がカード操作装置２５にセットされ、カードプリントボタン３４が押されると、制御装置２１はメモリカード２９のプリントプログラム情報を読み込み、まず各ジョブに設定されているプリント枚数の総計を求めると共に、印画装置２７に収納されている記録紙の枚数を求め、収納枚数が総プリント枚数より多いか否かを判断する。そして、総プリント枚数より多くの記録紙が収納されている場合には、このプリントプログラムで設定されているジョブをジョブ番号の順に実行する。
　その際、ジョブが一つの画像を１枚の記録紙にプリントするジョブである場合には、制御装置２１は当該ジョブで選択されている画像データをメモリカード２９から読み出してフレームメモリ２６に書き込むと共に、画像再生情報を読み出して印画装置２７に与え、プリント開始を指示する。これにより画像再生情報で設定された通りの画像がジョブで設定された枚数だけプリントされる。」（段落【００４７】、【００４８】）
（ｊ）「またジョブがインデックスジョブである場合には、制御装置２１は、メモリカード２９から全ての画像を順次読み出し、所定の倍率で縮小してフレームメモリ２６に展開し、印画装置２７に対してプリント開始を指示する。なお、１枚の記録紙にメモリカード２９に蓄積されている全ての画像をプリントできない場合、例えばメモリカード２９には２０枚の画像が蓄積されているのに対して、インデックスジョブでは１６の画像をマルチプリントするように設定されている場合には、制御装置２１はまず最初の１６の画像を縮小してフレームメモリ２６に書き込み、そのインデックスのプリントが所定枚数終了した後に残りの４つの画像を読み出して、縮小してフレームメモリ２６に書き込み、プリントを行う。」（段落【００５０】）
　
（イ）同じく、原査定の拒絶の理由に引用された特開平９−８３９２１号公報（平成９年３月２８日出願公開、以下「引用例２」という。）には、図面とともに、次のとおりの記載がある。
　
（ｋ）「この発明は、一または複数の画像を表示する画像表示処理装置および方法ならびに表示装置に表示された画像を印刷する画像印刷処理装置および方法に関する。」（段落【０００１】）
（ｌ）「操作ユニット70は操作パネル70の操作により、高精細プリンタ４にプリント指令を与えることもできる。このため操作パネル70にはプリント用紙サイズ指定キー82、プリント・サイズ指定キー85およびプリント・キー89が含まれている。
　プリント用紙サイズ指定キー82は、プリント用紙サイズを指定する指令を与えるキーである。指定された用紙のサイズを表示するための表示器83および84も含まれている。この実施例ではＡ４とＡ５のプリント用紙の指定が可能であり、プリント用紙サイズ指定キー82により、Ａ４のプリント用紙が指定されたときには表示器83が点灯し、Ａ５のプリント用紙が指定されたときには表示器84が点灯する。
　プリント・サイズ指定キー85は、１枚のプリント用紙にプリント数を指定する指令を与えるキーである。指定されたプリント数を表示するための表示器86、87および88も含まれている。この実施例では１枚のプリント用紙に１駒、２駒または４駒の画像をプリントすることができる。プリント・サイズ指定キー85により、１駒の画像プリントが指定されたときには表示器86が点灯し、２駒の画像プリントが指定されたときには表示器87が点灯し、４駒の画像プリントが指定されたときには表示器88が点灯する。」（段落【００３１】から【００３３】）
（ｍ）「操作パネル70にはプルーフ表示を設定するためのプルーフ表示設定キー96も含まれている。プルーフ表示とは、メモリ・カード２または光ディスク３に記憶されている画像データによって表わされる複数の画像を１画面上に表示するものである。プルーフ表示によってメモリ・カード２または光ディスク３に記憶されている画像データによって表わされるすべての画像を表示装置５に表示するようにしてもよいが、この実施例では９駒分の画像を表示装置５の１画面上に同時に表示させるものとする。」（段落【００３７】）
（ｎ）「また図１に示す画像処理装置７はプルーフ表示された画像を高精細プリンタ４に印刷させることも可能である。プルーフ印刷されたプリントが図５に示されている。画像処理装置７はプルーフ印刷するに際して所望の画像のみを選択して印刷し、不要な縮小画像を印刷しないように省くことが可能である。図５は必要な縮小画像のみを含んだプルーフ印刷されたプリントである。」（段落【００４０】）
　
（３）対比
　本願補正発明と引用例１に記載された発明（以下「引用例１発明」という。）とを対比する。
　
（ア）引用例１の上記記載（ｃ）、（ｄ）、（ｅ）によれば、引用例１発明の「画像データ」及び「印画装置２７」は、それぞれ本願補正発明の「写真画像データ」及び「写真画像を印刷する印刷部」に相当する。
　
（イ）引用例１の上記記載（ｂ）、（ｄ）、（ｅ）、（ｊ）によれば、「メモリカード２９」には、画像データとともに「画像情報の関連情報」である「マルチプリントを行う場合のグルーピング情報、即ちマルチプリントを行う場合の画像の組み合わせ、及びその配置を示す情報」が記憶されており、「カード操作装置２５」は、「メモリカード２９」に記憶されているデータの読み取りを行う。
　また、引用例１の上記記載（ａ）、（ｄ）、（ｅ）、（ｉ）、（ｊ）によれば、「Ｕ／Ｉ２２」には「カードプリントボタン３４」が備えられ、「メモリカード２９」が「カード操作装置２５」にセットされて「カードプリントボタン３４」が押されると、制御装置２１は「メモリカード２９」のプリントプログラム情報を読み込み、このプリントプログラムで設定されているジョブが「インデックスジョブ」である場合には、制御装置２１は、「メモリカード２９」から全ての画像を順次読み出し、所定の倍率で縮小してフレームメモリ２６に展開し、印画装置２７に対してプリント開始を指示する。　ここで、「インデックスジョブ」とは、当該「メモリカード２９」に蓄積されている全ての画像を番号順に、例えば１枚の記録紙を１６分割あるいは２５分割してマルチプリントするジョブである。そして、１枚の記録紙に「メモリカード２９」に蓄積されている全ての画像をプリントできない場合、例えば「メモリカード２９」には２０枚の画像が蓄積されているのに対して、「インデックスジョブ」では１６の画像をマルチプリントするように設定されている場合には、制御装置２１はまず最初の１６の画像を縮小してフレームメモリ２６に書き込み、そのインデックスのプリントが所定枚数終了した後に残りの４つの画像を読み出して、縮小してフレームメモリ２６に書き込み、プリントを行う。
　
　したがって、引用例１発明の「メモリカード２９」、「カード操作装置２５」は、それぞれ本願補正発明の「記憶媒体」、「読み込み部」に対応し、「Ｕ／Ｉ２２」の「カードプリントボタン３４」によって「インデックスジョブ」が指示された場合には、記憶媒体に記憶されたすべての写真画像データに由来する縮小データに基づくインデックス画像が、前記インデックス画像を印刷する用紙のサイズにかかわらず、用紙１枚当たりに所定数の前記インデックス画像として印刷されるといえる。
　
　もっとも、本願補正発明では、「記憶媒体」には予め「写真画像データと前記写真画像データの縮小データ」が記憶され、「読み込み部」は「写真画像データと前記写真画像の縮小データ」を読み込むものであり、「由来する縮小データ」は読み込んだ「写真画像データの縮小データ」であるのに対して、引用例１発明では、「記憶媒体」には「写真画像データ」のみ記憶され、「読み込み部」は「写真画像データ」のみ読み込むものであり、「由来する縮小データ」は読み込んだ「写真画像データ」を所定の倍率に縮小したデータである。
　また、インデックス画像の印刷について、本願補正発明では、用紙は「複数の用紙サイズの中から一つを選択し」たものであるのに対して、引用例１発明では、用紙サイズを選択し得るのかどうか定かではない。
　
（ウ）引用例１の上記記載（ｄ）、（ｆ）、（ｉ）によれば、上記プリントプログラムで設定されているジョブが「一つの画像を１枚の記録紙にプリントするジョブ」である場合には、上記ジョブの設定段階でメモリカード２９に記憶されたすべての画像データに基づいて画像の印刷内容（画像再生情報、枚数等）が予め設定されており、制御装置２１は当該ジョブで選択されている画像データをメモリカード２９から読み出してフレームメモリ２６に書き込むと共に、画像再生情報を読み出して印画装置２７に与え、プリント開始を指示する。これにより画像再生情報で設定されたとおりの画像がジョブで設定された枚数だけプリントされる。
　「Ｕ／Ｉ２２」の「カードプリントボタン３４」によって「一つの画像を１枚の記録紙にプリントするジョブ」が指示された場合には、記憶媒体に記憶されたすべての写真画像データに基づく写真画像が１回の操作により所定の用紙サイズの用紙に所定枚数ずつ印刷されるといえる。
　
　したがって、上記（イ）、（ウ）から、引用例１発明の「Ｕ／Ｉ２２」は、本願補正発明の「処理内容を指示する入力部」に対応するといえる。
　そして、引用例１発明では、記憶媒体に記憶されたすべての写真画像データに基づく写真画像の印刷（「一つの画像を１枚の記録紙にプリントするジョブ」）及び縮小データに基づくインデックス画像の印刷（「インデックスジョブ」）の各内容は予め設定されており、「カードプリントボタン３４」を１回操作することによって予め設定された各内容の印刷を実行するものであるといえる。
　
　もっとも、予め設定された内容の印刷を実行するよう指示する入力手段として、本願補正発明では、入力部に「記憶媒体に記憶されたすべての写真画像データに基づく写真画像の印刷を１回の操作により指示する第１の入力手段」と「縮小データに基づくインデックス画像の印刷を指示する第２の入力手段」とを備えるのに対して、引用例１発明では、入力部に１つの入力手段（「カードプリントボタン３４」）を備え、上記各内容の印刷をジョブ番号の順に実行する。
　また、写真画像の印刷について、本願補正発明では、所定の写真画像は「すべての写真画像」であり、用紙は「指定されたサイズの用紙」であり、所定枚数は「各１枚」であるのに対して、引用例１発明では、所定の写真画像と所定枚数は予め設定されるものの用紙サイズは設定し得るのかどうか定かではない。
　
　したがって、両者は、
「写真画像データを記憶した記憶媒体から前記写真画像データを読み込む読み込み部と、写真画像を印刷する印刷部と、処理内容を指示する入力部とを備え、
　前記入力部が、予め設定された内容の印刷を実行するよう指示する入力手段を備え、前記記憶媒体に記憶されたすべての前記写真画像データに基づく写真画像の印刷が１回の操作により指示された場合には、前記指示に基づき所定の前記写真画像を所定の用紙サイズの用紙に所定枚数ずつ印刷するとともに、
　前記記憶媒体に記憶されたすべての前記写真画像データに由来する縮小データに基づくインデックス画像の印刷が指示された場合には、前記指示に基づき前記インデックス画像を印刷する写真画像印刷装置であって、
　前記インデックス画像を印刷する用紙のサイズにかかわらず用紙１枚当たりに所定数の前記インデックス画像を印刷する写真画像印刷装置。」
である点で一致し、以下の各点で相違している。
　
［相違点１］
　本願補正発明では、「記憶媒体」には予め「写真画像データと前記写真画像データの縮小データ」が記憶され、「読み込み部」は「写真画像データと前記写真画像の縮小データ」を読み込むものであり、「由来する縮小データ」は読み込んだ「写真画像データの縮小データ」であるのに対して、
引用例１発明では、「記憶媒体」には「写真画像データ」のみ記憶され、「読み込み部」は「写真画像データ」のみ読み込むものであり、「由来する縮小データ」は読み込んだ「写真画像データ」を所定の倍率に縮小したデータである点。
　
［相違点２］
　予め設定された内容の印刷を実行するよう指示する入力手段として、本願補正発明では、入力部に写真画像の印刷を指示する「第１の入力手段」とインデックス画像の印刷を指示する「第２の入力手段」とを備えるのに対して、引用例１発明では、入力部に１つの入力手段（「カードプリントボタン３４」）を備え、上記印刷をジョブ番号の順に実行する点。
　
［相違点３］
　（記憶媒体に記憶されたすべての写真画像データに基づく）写真画像の印刷について、本願補正発明では、所定の写真画像は「すべての写真画像」であり、用紙は「指定されたサイズの用紙」であり、所定枚数は「各１枚」であるのに対して、引用例１発明では、所定の写真画像と所定枚数は予め設定されるものの用紙サイズは設定し得るのかどうか定かではない点。
　
［相違点４］
　（記憶媒体に記憶されたすべての写真画像データに由来する縮小データに基づく）インデックス画像の印刷について、本願補正発明では、用紙は「複数の用紙サイズの中から一つを選択し」たものであるのに対して、引用例一発明では、用紙サイズを選択し得るのかどうか定かではない点。
　
（４）判断
　そこで、上記各相違点につき判断する。
　
（４．１）［相違点１］について
　インデックス画像に使用する画像データの縮小データを予め作成して前記画像データとともに記録媒体に記憶しておき、記録媒体から読み出された前記縮小データに基づいてインデックス画像を得ることは、本願出願前に周知・慣用の技術（例えば、特開平７−１４３４２６号公報、特開平６−１９７３０４号公報、特開昭６２−２４８３９０号公報参照）であり、引用例１発明において、上記周知慣用技術を採用して、写真画像データと写真画像データの縮小データとを記憶した記憶媒体から前記縮小データを読み込み、前記縮小データに基づいてインデックス画像の印刷を行うように構成することに格別の困難性はない。また、これによる効果も予測される範囲を超えるものではない。
　
（４．２）［相違点２］について
　写真画像データに基づく写真画像の印刷及び縮小データに基づくインデックス画像の印刷についての予め設定された内容に関してはそれぞれ（４．３）［相違点３］について 及び（４．４）［相違点４］について で検討するとして、上記相違点２に係る構成は、引用例１発明の「一つの画像を１枚の記録紙にプリントするジョブ」及び「インデックスジョブ」の実行を指示するための入力手段を単に別々に設けることにより、当業者が容易に想到し得る事項にすぎない。また、これによる効果も予測される範囲を超えるものではない。
　
（４．３）［相違点３］について
　引用例１発明において「写真画像データに基づいて写真画像を印刷するジョブ」を設定する際には、記録媒体から読み出されたすべての画像の各々について印刷するかどうかの確認がなされ、印刷される画像が設定された場合には印刷枚数の初期値として１枚が設定され、前記印刷枚数は必要に応じて所望の値に変更される。（引用例１の上記記載（ｆ）参照）
　
　しかしながら、写真プリントを行う際に、各々の写真をプリントするかどうかの確認を行うことなくすべての写真を各１枚ずつプリントし（いわゆる「同時プリント」）、プリントされた写真を確認後に追加のプリントを行うことは、本願出願前から一般に行われている（例えば、特開平６−９５２６４号公報、特開平７−１２８７４７号公報参照）。この「同時プリント」の場合、最初に写真の確認作業を行う必要がないことは当然であるが、その反面、不要な写真までプリントされてしまうという不都合があることも周知である。
　
　一方、上記記載（ｋ）ないし（ｎ）によれば、引用例２に記載された発明（以下「引用例２発明」という。）には、一または複数の画像を印刷する画像印刷処理装置であって、プリント用紙サイズを指定するプリント用紙サイズ指定キー82及びプルーフ表示を設定するためのプルーフ表示設定キー96を含む操作パネル70、指定された用紙のサイズを表示するための表示器83および84が含まれ、また記載（ｌ）によれば、引用例２発明ではＡ４とＡ５のプリント用紙の指定が可能であり、プリント用紙サイズ指定キー82により、Ａ４のプリント用紙が指定されたときには表示器83が点灯し、Ａ５のプリント用紙が指定されたときには表示器84が点灯する。ここで、プルーフ表示とは、記載（ｍ）によれば、メモリ・カード２または光ディスク３に記憶されている画像データによって表わされる複数の画像を１画面上に表示するものであり、記載（ｎ）及び図１によれば、画像処理装置７はプルーフ表示された画像を高精細プリンタ４に印刷させることも可能である。
　引用例２発明は、プリント用紙サイズ指定手段を有し、一つの画像を一枚の用紙に印刷又は用紙１枚当たりに所定数の画像をインデックス画像として印刷する際に、複数の用紙サイズの中から一つのサイズを選択・指示し得るものといえる。
　
　以上を勘案すると、引用例１発明の「写真画像データに基づいて写真画像を印刷するジョブ」において、記録媒体から読み込まれたすべての画像を各１枚ずつ印刷するよう設定することは、単に従来から一般に行われている「同時プリント」の注文内容を設定することとと実質的に等価であって、印刷される画像及び印刷枚数の設定の手間と不要な写真までプリントされてしまうという不都合との比較考量を行いつつ通常想定し得る範囲内において当業者が適宜なし得ることにすぎない。また、印刷時の用紙サイズを指示し得るように構成することも引用例１発明に引用例２発明のプリント用紙サイズ指定手段を付加することによって当業者が容易になしうることにすぎない。
　したがって、上記相違点３は格別のものとはいえない。また、これによる効果も予測される範囲を超えるものではない。
　
（４．４）［相違点４］について
　上記（４．３）のとおり、印刷に際して用紙のサイズを複数の用紙サイズの中から一つを選択し得るように構成することは、引用例１発明に引用例２発明のプリント用紙サイズ指定手段を付加することによって当業者が容易になし得ることにすぎないから、上記相違点４は格別のものとはいえない。また、これによる効果も予測される範囲を超えるものではない。
　
　以上判断したとおり、本願補正発明における上記相違点１ないし４に係る構成はいずれも当業者が容易に想到し得たものであり、また、各相違点を総合しても本願補正発明は当業者が想到することが困難なものとはいえない。
　
　そして、本願補正発明の作用効果も、引用例及び周知技術から当業者が予測できる範囲のものである。
　
　したがって、本願補正発明は、上記各引用例に記載された発明、及び、周知技術に基づいて、当業者が容易に発明をすることができたものであるから、特許法第２９条第２項の規定により特許出願の際独立して特許を受けることができないものである。
　　
（５）むすび
　以上のとおり、本件補正は、平成１５年改正前特許法第１７条の２第５項において準用する同法第１２６条第４項の規定に違反するので、特許法第１５９条第１項の規定において読み替えて準用する同法第５３条第１項の規定により却下されるべきものである。
　　
３．本願発明について
　平成１６年１月１３日付けの手続補正は上記のとおり却下されたので、本願の請求項１に係る発明（以下、同項記載の発明を「本願発明」という。）は、平成１５年６月９日付け手続補正書の特許請求の範囲の請求項１に記載された事項により特定される、以下のとおりのものである。
「写真画像データと前記写真画像データの縮小データとを記憶した記憶媒体から前記写真画像データを読み込む読み込み部と、写真画像を印刷する印刷部と、処理内容を指示する入力部とを備える写真画像印刷装置であって、
　前記入力部が、前記記憶媒体に記憶されたすべての前記写真画像データに基づく写真画像の印刷を１回の操作により指示する第１の入力手段を備え、前記指示に基づきすべての前記写真画像を各１枚ずつ印刷する写真画像印刷装置」
　　
（１）引用例
　原査定の拒絶の理由に引用された引用例、および、その記載事項は、前記「２．（２）」に記載したとおりである。
　　
（２）対比・判断
　本願発明は、前記２．で検討した本願補正発明から限定事項を省いたものである。
　そうすると、本願発明の構成要件を全て含み、さらに他の構成要件を付加したものに相当する本願補正発明が、前記「２．（４）」に記載したとおり、上記各引用例及び周知技術に基づいて、当業者が容易に発明をすることができたものであるから、本願発明も、同様の理由により、上記各引用例に記載された発明及び周知技術に基づいて、当業者が容易に発明をすることができたものである。
　　
（３）むすび
　以上のとおり、本願の請求項１に係る発明は、上記各引用例に記載された発明及び周知技術に基づいて、当業者が容易に発明をすることができたものであるから、特許法第２９条第２項の規定により特許を受けることができない。
　
　したがって、本願の他の請求項について検討するまでもなく、本願は拒絶されるべきものである。
　
　よって、結論のとおり審決する。